【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
無線通信デバイス上で動作可能なランダム化を通じて系列リソースを割り当てる方法であって、
系列ジェネレータの出力をスクランブルすることであって、スクランブルされた出力は初期オフセットである、スクランブルすることと、
前記無線通信デバイス上で実行可能な第１のモジュールによって実施される、前記初期オフセットを使用して、モバイルデバイスへの前記系列リソースのランダム割当てにおいて使用するための巡回シフトオフセットを生成することであって、前記巡回シフトオフセットを生成することは非協調的な方法で実施される、生成することと、
前記無線通信デバイス上で実行可能な第２のモジュールによって実施される、前記生成された巡回シフトオフセットの実施を通じてランダムに前記系列リソースを割り当てることと、を備える方法。
【請求項２】
前記巡回シフトオフセットを生成することが、
前記モバイルデバイスが、別の基地局を使用する別のデバイスに干渉する可能性が低いことを決定することと、
前記無線通信デバイス上で実行可能な第１のモジュールによって実施される、前記初期オフセットを使用して、前記モバイルデバイスへの系列リソースのランダム割当てにおいて使用するための巡回シフトオフセットを生成することであって、前記巡回シフトオフセットを生成することは、干渉が起こる可能性が低いとの決定に基づいて非協調的な方法で実施される、生成することと、を含む、請求項１に記載の方法。
【請求項３】
前記巡回シフトオフセットを生成することが、
前記無線通信デバイス上で実行可能な前記第１のモジュールによって実施される、前記初期オフセットおよびセル特有の巡回シフトオフセットを使用して、前記モバイルデバイスへの系列リソースのランダム割当てにおいて使用するための巡回シフトオフセットを生成することであって、前記巡回シフトオフセットを生成することは非協調的な方法で実施される、生成すること、を含む、請求項１に記載の方法。
【請求項４】
装置であって、
系列ジェネレータの出力をスクランブルするシャフラであって、スクランブルされた出力は初期オフセットである、シャフラと、
前記初期オフセットを使用して、モバイルデバイスへの系列リソースのランダム割当てにおいて使用するための巡回シフトオフセットを生成するジェネレータであって、前記巡回シフトオフセットを生成することは非協調的な方法で実施される、ジェネレータと、
前記生成された巡回シフトオフセットの実施を通じてランダムに前記系列リソースを指定するアサイナと、を備える装置。
【請求項５】
前記巡回シフトオフセットを生成することが、
前記初期オフセットを使用して、前記モバイルデバイスへの系列リソースのランダム割当てにおいて使用するための巡回シフトオフセットを生成することであって、前記巡回シフトオフセットを生成することは、前記モバイルデバイスが別の基地局を使用する別のデバイスに干渉する可能性が低いとの決定に基づいて、非協調的な方法で実施される、生成すること、を含む、請求項４に記載の装置。
【請求項６】
前記巡回シフトオフセットを生成することが、
前記初期オフセットおよびセル特有の巡回シフトオフセットを使用して、前記モバイルデバイスへの系列リソースのランダム割当てにおいて使用するための巡回シフトオフセットを生成することであって、前記巡回シフトオフセットを生成することは非協調的な方法で実施される、生成すること、を含む、請求項４に記載の装置。
【請求項７】
ランダム化を通じて系列リソースを割り当てるように構成されたプロセッサであって、
初期オフセットを使用して、モバイルデバイスへの前記系列リソースのランダム割当てにおいて使用するための巡回シフトオフセットを生成する第１のモジュールであって、前記初期オフセットは、系列ジェネレータの出力をスクランブルする結果であり、前記巡回シフトオフセットは非協調的な方法で生成される、第１のモジュールと、
前記生成された巡回シフトオフセットの実施を通じてランダムに前記系列リソースを割り当てる第２のモジュールと、を備えるプロセッサ。
【請求項８】
前記モバイルデバイスが別の基地局を使用する別のデバイスに干渉する可能性が低いことを決定する、第３のモジュールをさらに備え、
前記巡回シフトオフセットは、干渉が起こる可能性が低いとの決定に基づいて非協調的な方法で生成される、請求項７に記載のプロセッサ。
【請求項９】
前記巡回シフトオフセットを生成することが、
前記初期オフセットおよびセル特有の巡回シフトオフセットを使用して、前記モバイルデバイスへの系列リソースのランダム割当てにおいて使用するための巡回シフトオフセットを生成することであって、前記初期オフセットは、前記系列ジェネレータの出力をスクランブルする結果であり、前記巡回シフトオフセットは非協調的な方法で生成される、生成すること、を含む、請求項７に記載のプロセッサ。
【請求項１０】
コンピュータプログラムであって、
コンピュータに、初期オフセットを使用して、モバイルデバイスへの系列リソースのランダム割当てにおいて使用するための巡回シフトオフセットを生成することを実行させる、第１のコードセットであって、前記初期オフセットは、系列ジェネレータの出力をスクランブルする結果であり、前記巡回シフトオフセットは非協調的な方法で生成される、第１のコードセットと、
前記コンピュータに、前記生成された巡回シフトオフセットの実施を通じてランダムに前記系列リソースを割り当てることを実行させる、第２のコードセットと、を備えるコンピュータプログラム。
【請求項１１】
前記コンピュータに、前記モバイルデバイスが別の基地局を使用する別のデバイスに干渉する可能性が低いことを決定することを実行させる、第３のコードセットをさらに備え、
前記巡回シフトオフセットは、干渉が起こる可能性が低いとの決定に基づいて非協調的な方法で生成される、請求項１０に記載のコンピュータプログラム。
【請求項１２】
前記巡回シフトオフセットを生成することが、
前記初期オフセットおよびセル特有の巡回シフトオフセットを使用して、前記モバイルデバイスへの系列リソースのランダム割当てにおいて使用するための巡回シフトオフセットを生成することであって、前記初期オフセットは、前記系列ジェネレータの出力をスクランブルする結果であり、前記巡回シフトオフセットは非協調的な方法で生成される、生成すること、を含む、請求項１０に記載のコンピュータプログラム。
【請求項１３】
装置であって、
初期オフセットを使用して、モバイルデバイスへの系列リソースのランダム割当てにおいて使用するための巡回シフトオフセットを生成する手段であって、前記初期オフセットは、系列ジェネレータの出力をスクランブルする結果であり、前記巡回シフトオフセットは非協調的な方法で生成される、生成する手段と、
前記生成された巡回シフトオフセットの実施を通じてランダムに前記系列リソースを割り当てる手段と、を備える装置。
【請求項１４】
前記巡回シフトオフセットを生成することが、
前記初期オフセットを使用して、前記モバイルデバイスへの系列リソースのランダム割当てにおいて使用するための巡回シフトオフセットを生成することであって、前記初期オフセットは、前記系列ジェネレータの出力をスクランブルする結果であり、前記巡回シフトオフセットは、前記モバイルデバイスが別の基地局を使用する別のデバイスに干渉する可能性が低いとの決定に基づいて、非協調的な方法で生成される、生成すること、を含む、請求項１３に記載の装置。
【請求項１５】
前記巡回シフトオフセットを生成することが、
前記初期オフセットおよびセル特有の巡回シフトオフセットを使用して、前記モバイルデバイスへの系列リソースのランダム割当てにおいて使用するための巡回シフトオフセットを生成することであって、前記初期オフセットは、前記系列ジェネレータの出力をスクランブルする結果であり、前記巡回シフトオフセットは非協調的な方法で生成される、生成すること、を含む、請求項１３に記載の装置。
【請求項１６】
リソースを使用する、無線通信デバイス上で動作可能な方法であって、
使用のために割り当てられた系列リソースに関する系列リソース命令を評価することであって、前記系列リソースは、生成された巡回シフトオフセットの実施を通じて割り当てられ、前記評価することは、前記無線通信デバイス上で実行可能な第１のモジュールによって実施される、評価することと、
前記評価の結果に基づいて、使用すべき系列リソースを識別することであって、前記識別することは、前記無線通信デバイス上で実行可能な第２のモジュールによって実施される、識別することと、を備え、
前記巡回シフトオフセットは、系列ジェネレータのスクランブルされた出力の使用を通じて生成され、前記巡回シフトオフセットの生成は非協調的である、方法。
【請求項１７】
前記無線通信デバイスが、別の基地局を使用するモバイルデバイスに干渉する可能性が低いことを決定することであって、前記巡回シフトオフセットの生成が、干渉が起こる可能性が低いとの決定に基づいて非協調的である、決定することをさらに備える、請求項１６に記載の方法。
【請求項１８】
巡回シフトオフセットの生成は、通信が物理的アップリンク制御チャネル（ＰＵＣＣＨ）の通信であると識別すると行われる、請求項１６に記載の方法。
【請求項１９】
装置であって、
使用のために割り当てられた系列リソースに関する系列リソース命令を評価するアナライザであって、前記系列リソースは、生成された巡回シフトオフセットの実施を通じて割り当てられる、アナライザと、
前記評価の結果に基づいて、使用すべき系列リソースを識別するセレクタと、を備え、
前記巡回シフトオフセットの生成は非協調的であり、前記巡回シフトオフセットは、系列ジェネレータのスクランブルされた出力の使用を通じて生成される、装置。
【請求項２０】
前記巡回シフトオフセットの生成が、干渉が起こる可能性が低いとの決定に基づいて、非協調的である、請求項１９に記載の装置。
【請求項２１】
前記巡回シフトオフセットの生成は、通信が物理的アップリンク制御チャネル（ＰＵＣＣＨ）の通信であると識別すると行われる、請求項１９に記載の装置。
【請求項２２】
リソースを使用するように構成されたプロセッサであって、
使用のために割り当てられた系列リソースに関する系列リソース命令を評価する第１のモジュールであって、前記系列リソースは、生成された巡回シフトオフセットの実施を通じて割り当てられる、第１のモジュールと、
前記評価の結果に基づいて、使用すべき系列リソースを識別する第２のモジュールと、を備え、
前記巡回シフトオフセットの生成は非協調的であり、前記巡回シフトオフセットは、系列ジェネレータのスクランブルされた出力の使用を通じて生成される、プロセッサ。
【請求項２３】
前記巡回シフトオフセットの生成が、干渉が起こる可能性が低いとの決定に基づいて非協調的である、請求項２２に記載のプロセッサ。
【請求項２４】
巡回シフトオフセットの生成は、通信が物理的アップリンク制御チャネル（ＰＵＣＣＨ）の通信であると識別すると行われる、請求項２２に記載のプロセッサ。
【請求項２５】
コンピュータプログラムであって、
コンピュータに、使用のために割り当てられた系列リソースに関する系列リソース命令を評価させる、第１のコードセットであって、前記系列リソースは、生成された巡回シフトオフセットの実施を通じて割り当てられる、第１のコードセットと、
前記コンピュータに、前記評価の結果に基づいて、使用すべき系列リソースを識別させる、第２のコードセットと、を備え、
前記巡回シフトオフセットの生成は非協調的であり、前記巡回シフトオフセットは、系列ジェネレータのスクランブルされた出力の使用を通じて生成される、コンピュータプログラム。
【請求項２６】
前記巡回シフトオフセットの生成は、干渉が起こる可能性が低いとの決定に基づいて非協調的である、請求項２５に記載のコンピュータプログラム。
【請求項２７】
巡回シフトオフセットの生成は、通信が物理的アップリンク制御チャネル（ＰＵＣＣＨ）の通信であると識別すると行われる、請求項２５に記載のコンピュータプログラム。
【請求項２８】
装置であって、
使用のために割り当てられた系列リソースに関する系列リソース命令を評価する手段であって、前記系列リソースは、生成された巡回シフトオフセットの実施を通じて割り当てられる、評価する手段と、
前記評価の結果に基づいて、使用すべき系列リソースを識別する手段と、を備え、
前記巡回シフトオフセットの生成は非協調的であり、前記巡回シフトオフセットは、系列ジェネレータのスクランブルされた出力の使用を通じて生成される、装置。
【請求項２９】
前記巡回シフトオフセットの生成は、干渉が起こる可能性が低いとの決定に基づいて非協調的である、請求項２８に記載の装置。
【請求項３０】
巡回シフトオフセットの生成は、通信が物理的アップリンク制御チャネル（ＰＵＣＣＨ）の通信であると識別すると行われる、請求項２８に記載の装置。